(57)【特許請求の範囲】
【請求項１】
通信ネットワークを介して第一番組のデータと第二番組のデータとを得て、
通信ネットワークを介して電子機器での第一番組の第一予約情報と、第二番組の第二予約情報とを得て、
前記第一番組のデータと前記第二番組のデータと前記第一予約情報と前記第二予約情報とを含む番組表のデータを出力し、
前記番組表のデータでは、前記第一予約情報または前記第二予約情報の新しさに応じて、前記第一番組のデータと前記第二番組のデータとの表示態様が異なるか、または前記第一予約情報と前記第二予約情報との表示態様が異なる、番組表表示方法。
【請求項２】
前記第一予約情報または前記第二予約情報の新しさは、前記電子機器から前記第一予約情報または前記第二予約情報を得た時間からの経過時間に応じて定まる、請求項１に記載の番組表表示方法。
【請求項３】
さらに、前記電子機器に、前記第一番組のデータに対応する最新の予約情報または前記第二番組のデータに対応する最新の予約情報を送信させるための第一データを送信する、請求項２に記載の番組表表示方法。
【請求項４】
前記第一データの送信は、前記第一予約情報または前記第二予約情報の前記経過時間が閾値を超えていた場合に実行される、請求項３に記載の番組表表示方法。
【請求項５】
さらに、通信ネットワークを介して前記電子機器との通信の確立を試み、
前記第一データの送信は、前記電子機器との通信の確立の試みに対応した前記電子機器からの応答が得られた場合に実行される、請求項３に記載の番組表表示方法。
【請求項６】
さらに、通信ネットワークを介して前記第一予約情報または前記第二予約情報の新しさの基準となる基準時間のデータを取得する、請求項２に記載の番組表表示方法。
【請求項７】
通信ネットワークを介して第一番組のデータと第二番組のデータとを得る第一取得部と、
通信ネットワークを介して電子機器での第一番組の第一関連情報と、第二番組の第二関連情報とを得る第二取得部と、
前記第一番組のデータと前記第二番組のデータと前記第一関連情報と前記第二関連情報とを含む表示用のデータを出力する出力部と、
を備え、
前記表示用のデータでは、前記第一関連情報または前記第二関連情報の新しさに応じて、前記第一番組のデータと前記第二番組のデータとの表示態様が異なるか、または前記第一関連情報と前記第二関連情報との表示態様が異なる、装置。
【請求項８】
通信ネットワークを介して前記電子機器との通信の確立を試みる通信部を備え、
前記第二取得部は、前記通信部が前記電子機器からの応答を得た場合に、前記関連情報を取得する、請求項７に記載の装置。
【請求項９】
通信ネットワークを介して前記関連情報の新しさに対応したデータを取得する第三取得部を備えた、請求項７に記載の装置。
【請求項１０】
コンピュータに、
通信ネットワークを介して第一番組のデータと第二番組のデータとを得ること、
通信ネットワークを介して電子機器での第一番組の第一予約情報と、第二番組の第二予約情報とを得ること、
前記第一番組のデータと前記第二番組のデータと前記第一予約情報と前記第二予約情報とを含む番組表のデータであって、前記第一予約情報または前記第二予約情報の新しさに応じて、前記第一番組のデータと前記第二番組のデータとの表示態様が異なるかまたは前記第一予約情報と前記第二予約情報との表示態様が異なる前記番組表のデータを、出力すること、
を実行させるプログラム。
【発明の詳細な説明】
【技術分野】
【０００１】
本発明の実施形態は、番組表表示方法、装置、およびプログラムに関する。
【背景技術】
【０００２】
従来、通信ネットワークを介して得たデータに基づいて番組表を表示する装置が知られている。
【先行技術文献】
【特許文献】
【０００３】
【特許文献１】特開２００６−２２９９４７号公報
【発明の概要】
【発明が解決しようとする課題】
【０００４】
この種の装置では、番組表とともに、電子機器での視聴や録画の予約状況を示す予約情報が表示される場合がある。予約情報は、ユーザの操作等によって随時更新される。装置で表示される予約情報は、正しい情報であることが望ましい。【０００５】
そこで、本発明の実施形態は、一例として、より精度の高い予約情報（番組の関連情報）が得られやすい番組表表示方法、装置、およびプログラムを得ることを目的の一つとする。
【課題を解決するための手段】
【０００６】
本発明の実施形態にかかる番組表表示方法は、一例として、通信ネットワークを介して第一番組のデータと第二番組のデータとを得て、通信ネットワークを介して電子機器での第一番組の第一予約情報と、第二番組の第二予約情報とを得て、第一番組のデータと第二番組のデータと第一予約情報と第二予約情報とを含む番組表のデータを出力する。番組表のデータでは、第一予約情報または第二予約情報の新しさに応じて、第一番組のデータと第二番組のデータとの表示態様が異なるか、または第一予約情報と第二予約情報との表示態様が異なる。
【図面の簡単な説明】
【０００７】
【図１】図１は、実施形態にかかる番組表表示装置を含むシステムの一例の概略構成が示された説明図である。
【図２】図２は、実施形態にかかる番組表表示装置の一例が示されたブロック図である。
【図３】図３は、実施形態にかかる番組表表示装置における通信処理ならびに予約情報のデータを取得する処理の一例が示されたフローチャートである。
【図４】図４は、実施形態にかかる番組表表示装置における番組表の表示処理の一例が示されたフローチャートである。
【図５】図５は、実施形態にかかる番組表表示装置で表示される予約情報を含む番組表の一例が示された図である。
【図６】図６は、実施形態にかかる番組表表示装置で表示される予約情報を含む番組表の別の一例が示された図である。
【図７】図７は、変形例にかかる番組表表示装置で表示される番組の関連情報を含む番組リストの一例が示された図である。
【発明を実施するための形態】
【０００８】
＜実施形態＞
以下の実施形態および変形例には、同様の構成要素が含まれる。それら同様の構成要素には共通の符号が付与されるとともに、重複する説明が省略される。同様の構成要素を備えた実施形態および変形例では、当該同様の構成要素に基づく同様の結果（効果）が得られる。なお、本明細書中の、第一，第二等の序数は、構成要素等を便宜上区別するために付与されており、処理の順序や、優先度、重要度等を意味するものではない。
【０００９】
本実施形態では、図１に示されるように、システムには、例えば、メタデータサーバ１０（サーバ）や、電子機器２０、番組表表示装置３０（装置）等が含まれている。これらメタデータサーバ１０や、電子機器２０、番組表表示装置３０は、例えば、有線あるいは無線の通信ネットワーク４０（電気通信回線）を介して、電気的に接続されている。通信ネットワーク４０は、例えば、ルータや、基地局装置、アクセスポイント等の機器ならびにケーブル等（図示されず）を含んでいる。メタデータサーバ１０や、電子機器２０、番組表表示装置３０は、通信ネットワーク４０を介して、それら相互間で、所定の通信プロトコルにしたがって、種々のデータの授受（通信）を実行することができる。
【００１０】
電子機器２０（予約実行装置）は、コンテンツ（番組等）のデータを含む（が乗せられた）放送波を受信することができる。また、電子機器２０は、出力装置５０を制御したり、出力装置５０に映像データ（画像データ）や音声データを送ったりすることができる。出力装置５０は、コンテンツの映像や音声を出力することができる。電子機器２０は、例えば、テレビジョン受像機２１や、レコーダ２２、ホームターミナル（図示されず）、パーソナルコンピュータ（図示されず）等である。出力装置５０は、表示出力装置５１（表示出力部、例えばディスプレイパネル）や音声出力装置５２（音声出力部、例えばスピーカ）等である。出力装置５０は、電子機器２０に一体化されてもよいし、電子機器２０とは別の装置であってもよい。
【００１１】
また、電子機器２０は、それぞれ、番組の視聴や録画の予約機能を有している。電子機器２０の視聴や録画の予約情報（予約の情報）のデータは、記憶部６０に記憶される。予約情報は、番組の予約に関する情報、番組の予約の態様を示す情報、あるいは番組に関連した情報であり、例えば、番組の識別ＩＤや、番組のチャンネル、放送される日時、予約の種別等である。記憶部６０は、不揮発性の記憶部であって、一例としては、ＨＤＤ（hard disk drive）やＳＳＤ（solid state drive）等である。記憶部６０は、電子機器２０に含まれてもよいし、電子機器２０とは別の装置であってもよい。電子機器２０は、予約情報にしたがって動作する。具体的に、電子機器２０は、視聴予約（視聴の予約情報、視聴の予約を示す情報）に対応して、出力装置５０を制御したり、出力装置５０に映像や音声のデータを送出したりする。出力装置５０では、視聴予約の予約情報にしたがって映像や音声の出力が実行される。また、電子機器２０は、録画予約（録画の予約情報、録画の予約を示す情報）に対応して、コンテンツのデータを記憶部６０に記憶する。なお、予約情報のデータ（予約の情報に対応したデータ）と、コンテンツのデータ（コンテンツに対応したデータ）とは、相異なる記憶部に記憶されうる。予約情報は、番組の関連情報（メタ情報、属性情報）の一例である。
【００１２】
さらに、電子機器２０は、番組表表示装置３０からの要求（予約情報のデータを送信させるためのデータ（第一データ）の受信）に対応して、予約情報（のデータ）を番組表表示装置３０に向けて送信することができる。
【００１３】
番組表表示装置３０は、通信ネットワーク４０を介して、番組表の元となるデータ（番組のデータ、リストの元となるデータ）を受信する。番組表の元となるデータには、例えば、チャンネルリストのデータや、番組情報のデータ（番組の情報に対応したデータ）等が含まれる。これらデータは、メタデータサーバ１０から、通信ネットワーク４０を介して取得される。番組表表示装置３０は、番組表を表示するよう表示装置３４を制御したり、表示装置３４に番組表のデータ（表示用のデータ）を送ったりすることができる。表示装置３４は、番組表を表示する。表示装置３４は、例えば、パーソナルコンピュータ（例えば、タブレット型のコンピュータ等）や、スマートフォン、携帯電話機、ＰＤＡ（personal digital assistant）、ゲーム機等である。図１では、番組表表示装置３０は、タブレット型のコンピュータとして例示されている。番組表表示装置３０は、携帯情報端末、通信機器、遠隔機器の一例である。
【００１４】
番組表表示装置３０は、コンピュータとして構成され、ＣＰＵ（central processing unit）や、コントローラ、記憶部、入力部、出力部、インタフェース部等を備える。記憶部は、例えば、ＲＡＭ（random access memory）や、ＲＯＭ（read only memory）、ＨＤＤ、ＳＳＤ等である。記憶部には、情報記憶部３２が含まれる。情報記憶部３２は、取得した番組表の元となるデータや、予約情報（関連情報）のデータ、予約情報のデータのタイムスタンプ等を記憶する。情報記憶部３２は、不揮発性の記憶部であって、例えば、ＨＤＤやＳＳＤ等である。入力部は、例えば、タッチパネル３３やキーボード（図示されず）等である。出力部は、例えば、表示装置３４や、スピーカ（図示されず）等である。表示装置３４は、例えば、ＬＣＤ（liquid crystal display）や、ＯＥＬＤ（organic electro-luminescent display）等である。ＣＰＵは、ロードされたプログラム（例えば、ＯＳ（operating system）や、アプリケーション、ウエブアプリケーション等）にしたがって、種々の演算処理を実行することができる。本実施形態では、一例として、プログラムにしたがったＣＰＵ等の処理によって、図２に示される制御部３１（チャンネルリスト取得部３１ａ、番組情報取得部３１ｂ、予約情報取得部３１ｃ、表示データ構成部３１ｄ、出力部３１ｅ、予約情報チェック部３１ｆ、タイムスタンプ取得部３１ｇ、予約情報要求部３１ｈ、通信部３１ｉ、時計部３１ｊ）が機能する。
【００１５】
プログラムは、インストール可能な形式又は実行可能な形式のファイルでＣＤ−ＲＯＭ（compact disk ＲＯＭ）や、ＦＤ（flexible disk）、ＣＤ−Ｒ（ＣＤ recordable）、ＤＶＤ（digital versatile disk）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００１６】
チャンネルリスト取得部３１ａは、例えば、メタデータサーバ１０から、チャンネルリスト（のデータ）を得る。チャンネルリストには、例えば、放送局名や、チャンネル番号等が含まれている。番組情報取得部３１ｂは、メタデータサーバ１０から番組情報（のデータ）を得る。番組情報には、例えば、番組のＩＤ、番組のタイトル、番組の号数、番組の放送日時、番組の説明、チャンネル名、チャンネルロゴ、放送局名等が含まれる。取得されたチャンネルリストや番組情報等のデータ（番組のデータ）は、情報記憶部３２に記憶される。本実施形態では、チャンネルリスト取得部３１ａまたは番組情報取得部３１ｂが、第一取得部の一例である。
【００１７】
予約情報取得部３１ｃ（関連情報取得部）は、電子機器２０での予約情報（のデータ）を得る。取得された予約情報のデータは、情報記憶部３２（記憶部）に記憶される。本実施形態では、予約情報取得部３１ｃが、第二取得部の一例である。予約情報取得部３１ｃは、予約情報のデータを、電子機器２０から取得することができるが、他の装置（サーバ等、図示されず）から取得することもできる。その場合、電子機器２０での予約状況（予約情報）が更新されるたびに、電子機器２０は他の装置へ更新された（最新の）予約情報（のデータ）を送信する。他の装置は、予約情報のデータを当該他の装置の情報記憶部（図示されず）に記憶する。
【００１８】
表示データ構成部３１ｄは、例えば、取得されたチャンネルリストや、番組情報、予約情報（関連情報）等から、表示装置３４で表示される番組表のデータ（表示用のデータ）を構成する。また、出力部３１ｅ（表示制御部、表示データ送信部等）は、構成された番組表のデータ（表示用のデータ）を、表示装置３４に送る。表示装置３４は、出力部３１ｅから受けた番組表のデータに基づいて、番組表ＰＬ（図５，６参照）を表示する。
【００１９】
予約情報チェック部３１ｆ（関連情報チェック部）は、予約情報（関連情報）の新しさをチェックする。予約情報チェック部３１ｆは、例えば、時計部３１ｊから現在時刻のデータを得ることで、予約情報の新しさの基準となる基準時間からの経過時間をチェックすることができる。基準時間は、例えば、予約情報に対応したタイムスタンプに示された時間（時刻）であることができる。タイムスタンプは、例えば、番組表表示装置３０（の予約情報取得部３１ｃ）で予約情報のデータが得られた時間のデータ（受信時に与えられたタイムスタンプ）であったり、電子機器２０や他の装置等の送信元から予約情報のデータが送信された（送信直前の）時間のデータ（送信時に与えられたタイムスタンプ）であったりすることができる。タイムスタンプ（データ）は、情報記憶部３２に、予約情報のデータと対応付けて記憶される。電子機器２０から予約情報のデータが送信された時間を示すデータは、予約情報の新しさに対応したデータの一例である。
【００２０】
タイムスタンプ取得部３１ｇは、予約情報のタイムスタンプを取得する。タイムスタンプ取得部３１ｇは、例えば、予約情報のデータの送信元の装置（例えば、電子機器２０または他の装置）から、送信時のタイムスタンプを得ることができる。あるいは、タイムスタンプ取得部３１ｇは、例えば、番組表表示装置３０（の予約情報取得部３１ｃ）で予約情報のデータが得られた際に、時計部３１ｊを参照して、受信時のタイムスタンプを取得する（生成する）ことができる。タイムスタンプ取得部３１ｇは、第三取得部の一例である。
【００２１】
予約情報要求部３１ｈ（関連情報要求部）は、例えば電子機器２０やサーバ等の送信元の装置に、予約情報（関連情報）のデータを送信させるためのデータ（予約情報のデータを要求するデータ（コマンド）、第一データ）を送信する。予約情報要求部３１ｈは、予約情報のデータを送信させるためのデータを、所定の時間間隔で、反復的に、送信することができる。
【００２２】
通信部３１ｉ（通信確立部、通信確立試行部）は、例えば電子機器２０やサーバ等の予約情報（のデータ）の送信元の装置との間で、所定のデータの授受（通信）を行うことができる。通信部３１ｉは、予約情報のデータの送信元に、所定の時間間隔で、データ（応答要求、コマンド）を送信し、通信の確立を試みることができる。通信部３１ｉは、各回で反復的に、通信の確立を試みることができる。
【００２３】
また、本実施形態では、表示データ構成部３１ｄは、基準時間からの経過時間に応じて表示態様が異なる番組表ＰＬのデータを構成することができる。また、出力部３１ｅは、予約情報（関連情報）の新しさに応じて表示態様の異なる番組表ＰＬのデータを出力することができる。図５，６の番組表ＰＬでは、一例として、横方向が時間軸であり、１行ずつチャンネルに区分され、番組毎に枠で囲まれている。各枠内には、当該枠に対応した番組情報に対応した表示要素Ｉｐが、例えば文字や図形等で表示されている。図５には、予約情報が新しい場合（例えば、予約情報の基準時間からの経過時間が所定時間より短い場合）の番組表ＰＬの一例が示され、図６には、予約情報が古い場合（例えば、予約情報の基準時間からの経過時間が所定時間（閾値）と同じかあるいは超えている場合）の番組表ＰＬの一例が示されている。この例では、図柄Ｉｗ１１，Ｉｗ１２は、第一番組が視聴予約されていることを示す第一番組の第一予約情報（のデータ）の表示要素の一例である。また、図柄Ｉｒ２１，Ｉｒ２２は、第二番組が録画予約されていることを示す第二番組の第二予約情報（のデータ）の表示要素の一例である。また、図５に示される図柄Ｉｗ１１，Ｉｒ２１は、図６に示される図柄Ｉｗ１２，Ｉｒ２２よりも新しい予約情報に対応した表示要素の一例である。そして、本実施形態では、一例として、図５に示される図柄Ｉｗ１１，Ｉｒ２１と、図６に示される図柄Ｉｗ１２，Ｉｒ２２とで、それらの表示態様の一例である色が相違している。すなわち、本実施形態では、一例として、図５に示される（図６のものより）新しい予約情報に対応した表示要素（図柄Ｉｗ１１，Ｉｒ２１）の表示態様と、図６に示される（図５のものより）古い予約情報に対応した表示要素（図柄Ｉｗ１２，Ｉｒ２２）の表示態様とが、互いに異なっている。なお、図５，６中では、図柄Ｉｗ１１，Ｉｒ２１，Ｉｗ１２，Ｉｒ２２は白黒で差別化している。図５中の図柄Ｉｗ１１，Ｉｒ２１の色は同じであり、図６中の図柄Ｉｗ１２，Ｉｒ２２の色は同じである。例えば、新しい予約情報に対応した図柄Ｉｗ１１，Ｉｒ２１は、無色あるいは白色で着色されることができ、古い予約情報に対応した図柄Ｉｗ１２，Ｉｒ２２は、赤色で着色されることができる。よって、本実施形態によれば、一例としては、ユーザは、図柄Ｉｗ１１，Ｉｒ２１，Ｉｗ１２，Ｉｒ２２の表示態様によって、対応する録画や試聴の予約情報が新しいのか古いのかを認識しやすい。なお、図５，６の例は、あくまで一例であって、表示態様は、予約情報の基準時間からの経過時間の長さに応じて、さらに多段にあるいは連続的に変化させることができる。また、予約情報の新しさに応じて、図柄Ｉｗ１１，Ｉｒ２１，Ｉｗ１２，Ｉｒ２２の色以外の表示態様（例えば、大きさ、形状、角度等）を異ならせることができるし、番組表ＰＬ自体の表示態様（例えば、背景色、線の色等）を異ならせることができる。また、第一番組の枠内に表示されるデータ（例えば、番組情報の文字や図形等の色、背景色、線の色等）と、第二番組の枠内に表示されるデータとを異ならせることができる。また、番組表ＰＬには、複数の電子機器２０の予約情報を含めることができる。この場合において、一つの電子機器２０に対応した予約情報と他の電子機器２０に対応した予約情報との新しさが異なる場合、各電子機器２０に対応した番組情報あるいは予約情報の表示要素の表示態様が、互いに異なることができる。
【００２４】
ここで、図３を参照して、番組表表示装置３０と予約情報（関連情報）の送信元の装置（例えば、電子機器２０や他の装置等）との通信処理ならびに予約情報（のデータ）を取得する処理の手順の一例が説明される。まず、通信部３１ｉは、予約情報のデータの送信元の装置に、所定の時間間隔で（定期的に）、データ（応答要求、コマンド）を送信し、当該予約情報のデータの送信元の装置と通信の確立を試みる（ステップＳ１）。通信が確立された場合（ステップＳ２でＹｅｓ）、予約情報要求部３１ｈは、送信元の装置に、所定の時間間隔で、反復的に、最新の予約情報のデータを送信させるためのデータ（第一データ）を送信する（ステップＳ３）。ステップＳ３の結果、予約情報取得部３１ｃが最新の予約情報のデータを取得できた場合（ステップＳ４でＹｅｓ）、予約情報取得部３１ｃは、取得した予約情報（関連情報）等を、情報記憶部３２に記憶する（ステップＳ５）。ステップＳ２でＮｏの場合、ならびにステップＳ４でＮｏの場合には、図３に示される一連の処理が終了される。
【００２５】
次に、図４を参照して、図５，６の番組表ＰＬ（リスト）を表示装置３４で表示する手順の一例が説明される。まず、チャンネルリスト取得部３１ａが、チャンネルリストのデータを得る（ステップＳ１１）。次に、番組情報取得部３１ｂが、番組情報のデータを得る（ステップＳ１２）。次に、予約情報要求部３１ｈが、送信元の装置に最新の予約情報のデータを送信させるためのデータ（第一データ）を、所定の時間間隔で、反復的に、送信する（ステップＳ１３）。なお、ステップＳ１３での反復的なデータの送信は、予約情報のデータが得られた時点あるいはこのステップＳ１３での所定時間（時間の閾値）が経過した時点で停止される。ステップＳ１３の結果、予約情報取得部３１ｃが、予約情報のデータを得ることができた場合（ステップＳ１４でＹｅｓ）、表示データ構成部３１ｄは、取得されたチャンネルリストや、番組情報、予約情報（関連情報）等から、表示装置３４で表示される番組表のデータを構成する（ステップＳ１５）。そして、出力部３１ｅは、構成された番組表のデータを、表示装置３４に送る（ステップＳ１６）。これにより、表示装置３４は、番組表のデータに基づいて、番組表ＰＬ（図５，６参照）を表示する。
【００２６】
ステップＳ１３の結果、予約情報取得部３１ｃが、送信元の装置から予約情報のデータを得ることができなかった場合であって（ステップＳ１４でＮｏ）、情報記憶部３２に予約情報のデータが記憶されていた場合には（ステップＳ１７でＹｅｓ）、予約情報チェック部３１ｆは、情報記憶部３２に記憶された予約情報のデータをチェックし、当該予約情報の新しさの基準となる基準時間からの現時点までの経過時間を算出する（ステップＳ１８）。ステップＳ１８で、経過時間がこのステップＳ１８での所定時間より短かった場合、すなわち、経過時間が閾値（時間の閾値）を超えていなかった場合には（ステップＳ１９でＹｅｓ）、情報記憶部３２に記憶されている予約情報のデータの当該予約情報や、ステップＳ１１で取得されたチャンネルリスト、ステップＳ１２で取得された番組情報等から、表示装置３４で表示される番組表のデータを構成する（ステップＳ１５）。一方、ステップＳ１８で、経過時間がこのステップＳ１８での所定時間と同じかあるいは超えていた場合、すなわち、経過時間が閾値（時間の閾値）と同じかあるいは超えていた場合には（ステップＳ１９でＮｏ）、表示データ構成部３１ｄは、情報記憶部３２に記憶されている予約情報のデータの当該予約情報や、ステップＳ１１で取得されたチャンネルリスト、ステップＳ１２で取得された番組情報等から、表示装置３４で表示される番組表のデータを構成する。ただし、この場合には、ステップＳ１９でＹｅｓの場合とは、表示態様が異なる番組表ＰＬのデータを構成する（ステップＳ２０）。そして、出力部３１ｅは、構成された番組表のデータを、表示装置３４に送る（ステップＳ１６）。これにより、表示装置３４は、番組表のデータに基づいて、番組表ＰＬ（図５，６参照）を表示する。また、ステップＳ１７でＮｏの場合、通信部３１ｉは、予約情報のデータの送信元の装置に、データ（応答要求、コマンド）を反復的に送信し、当該予約情報の送信元との通信の確立を試みる（ステップＳ２１）。ステップＳ２１での所定時間（時間の閾値）以内に通信が確立された場合には（ステップＳ２２でＹｅｓ）、ステップＳ１３に移行する。なお、ステップＳ２２でＮｏの場合には、図４に示される一連の処理が終了される。
【００２７】
以上説明したように、本実施形態では、一例として、第一予約情報または第二予約情報の新しさに応じて、第一番組のデータに対応した表示要素と第二番組のデータに対応した表示要素との表示態様が異なるか、あるいは、第一予約情報と第二予約情報との表示態様が異なる。よって、本実施形態によれば、一例としては、ユーザは、番組表ＰＬの表示態様（の違い、変化）から、予約情報の新しさ（古さ）を認識することができる。よって、一例としては、古い予約情報が表示されることによってユーザに不都合な事象が生じるのが、抑制されやすい。
【００２８】
また、本実施形態では、一例として、予約情報（関連情報）の新しさに応じて表示態様の異なる番組表ＰＬのデータ（表示用のデータ）が出力される。この場合、予約情報が新しい場合と古い場合とで、例えば、番組表ＰＬの表示態様が全体的に異なっても良いし（例えば、背景色が異なる等）、番組表ＰＬの表示態様が部分的に異なっても良いし（例えば、番組表の枠線の色が異なる等）、番組表ＰＬに含まれる番組情報の表示要素の表示態様が異なってもよいし、番組表ＰＬに含まれる予約情報に対応した表示要素の表示態様が異なってもよいし、あるいは、番組表ＰＬに含まれる番組情報および予約情報とは異なる表示要素の表示態様が異なってもよい。よって、本実施形態によれば、一例としては、ユーザは、番組表ＰＬの表示態様（の差異、変化）から、予約情報の新しさ（古さ）を認識することができる。よって、一例としては、古い予約情報が表示されることによってユーザに不都合な事象が生じるのが、抑制されやすい。
【００２９】
また、本実施形態では、一例として、予約情報（関連情報）の新しさは、基準時間からの経過時間（一例としては、予約情報を得た時間からの経過時間）に応じて定まる。よって、本実施形態によれば、一例としては、予約情報の新しさ（古さ）がより容易に判断（比較）されやすい。また、本実施形態では、一例として、基準時間は、予約情報取得部３１ｃで予約情報のデータが取得された時点であることができる。よって、本実施形態によれば、一例としては、基準時間ひいては経過時間がより容易に得られやすい。
【００３０】
また、本実施形態では、一例として、予約情報（関連情報）のデータの送信元の装置（例えば、電子機器２０や、他の装置等）に、当該予約情報のデータを送信させるための第一データが送信される。よって、本実施形態によれば、一例としては、新しい予約情報のデータが得られやすい。
【００３１】
また、本実施形態では、一例として、予約情報（関連情報）の基準時間からの経過時間が所定時間（閾値）を超えていた場合に、予約情報のデータの送信元の装置に当該予約情報のデータを送信させるためのデータ（第一データ）が、送信される。よって、本実施形態によれば、一例としては、新しい予約情報のデータがより効率良く得られやすい。換言すれば、無駄なデータの送信が抑制されやすい。
【００３２】
また、本実施形態では、一例として、送信元の装置との通信の確立を試みて、当該送信元の装置からの応答が得られた場合に、予約情報（関連情報）のデータの送信元の装置に当該予約情報のデータを送信させるためのデータ（第一データ）が、送信される。よって、本実施形態によれば、一例としては、新しい予約情報のデータがより一層効率良く得られやすい。換言すれば、無駄なデータの送信が抑制されやすい。
【００３３】
また、本実施形態では、一例として、通信ネットワークを介して予約情報の新しさの基準となる基準時間（経過時間＝０）のデータ（タイムスタンプ）のデータを取得することができる。よって、本実施形態によれば、一例としては、通信ネットワークを介して得られた予約情報の基準時間のデータから経過時間が算出されうる。
【００３４】
＜変形例＞
本変形例では、図７に示されるように、番組表表示装置３０では、上記実施形態にかかる番組表ＰＬに替えて、番組（コンテンツ）のランキング表ＲＬが表示されている。このランキング表ＲＬでは、各順位について、番組のタイトル、次回放送日時、チャンネル（放送局名）が示されている。本変形例では、順位を示す情報が、関連情報の一例である。順位を示す情報は、メタデータサーバ１０より取得される。そして、ランキング表ＲＬについては、ランキングの情報（関連情報）の新しさ（古さ）を示す図柄Ｉｆが示されている。本変形例では、ランキング表ＲＬのタイトルの図柄Ｉｆ（領域、着色領域）の表示態様（例えば背景色等）を新しさに応じて変化させることができる。一例としては、新しい場合には、図柄Ｉｆの背景色を緑色とし、古い場合には、図柄Ｉｆの背景色を黄色とすることができる。本変形例によれば、一例としては、ユーザは、ランキング表ＲＬの表示態様から、順位を示す情報（関連情報）の新しさ（古さ）を認識することができる。よって、一例としては、古い関連情報が表示されることによってユーザに不都合な事象が生じるのが、抑制されやすい。なお、本変形例は、上記実施形態における「予約情報」を「関連情報」と置き換えた構成により、具現化することができる。なお、ランキングにおける順位や、新しさに対応した図柄等は、上記実施形態にかかる番組表ＰＬ中に表示することも可能である。
【００３５】
以上、本発明の実施形態ならびに変形例を例示したが、上記実施形態ならびに変形例はあくまで一例であって、発明の範囲を限定することは意図していない。これら実施形態ならびに変形例は、その他の様々な形態で実施されることが可能であり、発明の要旨を逸脱しない範囲で、種々の省略、置き換え、組み合わせ、変更を行うことができる。これら実施形態やその変形例は、発明の範囲や要旨に含まれるとともに、請求の範囲に記載された発明とその均等の範囲に含まれる。また、本発明は、構成要素（ステップ）によって得られる基本的な結果（効果）によってもたらされる種々の効果も奏することができる。また、上述した効果は一例である。また、各構成要素のスペックは、適宜に変更して実施することができる。例えば、上記実施形態では、経過時間を計測したが、これに替えて、時間に替わる値（例えば、通信を確立するためのリトライの回数や、予約情報のデータを送信させるデータの送信回数等をカウントした値）を、上記経過時間に替えて用いることができる。また、上記実施形態や変形例に限らず、表示画面で表示される種々の表示要素（例えば、文字、図形、ロゴ、マーク、線、枠等）の種々のスペック（例えば、形状、大きさ、色、位置、パターン、数等）を、予約情報（関連情報）の新しさ（古さ）に応じて変更することができる。
【図１】
0005833245.tif 000002
【図２】
0005833245.tif 000003
【図３】
0005833245.tif 000004
【図４】
0005833245.tif 000005
【図５】
0005833245.tif 000006
【図６】
0005833245.tif 000007
【図７】
0005833245.tif 000008